(57)【要約】【課題】本発明は、中空糸膜表面の洗浄効率に優れる濾過装置を提供することを課題とする。【解決手段】本発明の一態様に係る濾過装置は、上下に引き揃えられる複数本の中空糸膜及びこれらの複数本の中空糸膜の上下端を固定する一対の保持部材を有する１又は複数の濾過モジュールと、この濾過モジュールの下方から気泡を供給する１又は複数の洗浄モジュールとを備える濾過装置であって、上記下側の保持部材が、平面視で上側の保持部材に対してシフトして配設されている。上記濾過モジュールが、棒状の保持部材に複数本の中空糸膜がカーテン状に列設された構造を有し、複数の上記濾過モジュールが平行かつ等間隔に配設されており、上記複数の濾過モジュールの下側保持部材が平面視で軸方向と垂直方向に一定距離シフトしているとよい。上記シフト量としては、複数の濾過モジュールの配設ピッチの３０％以上２００％以下が好ましい。【選択図】図１
2018099633.tif 000002
【特許請求の範囲】
【請求項１】
上下に引き揃えられる複数本の中空糸膜及びこれらの複数本の中空糸膜の上下端を固定する一対の保持部材を有する１又は複数の濾過モジュールと、
この濾過モジュールの下方から気泡を供給する１又は複数の洗浄モジュールと
を備える濾過装置であって、
上記下側の保持部材が、平面視で上側の保持部材に対してシフトして配設されている濾過装置。
【請求項２】
上記濾過モジュールが、棒状の保持部材に複数本の中空糸膜がカーテン状に列設された構造を有し、
複数の上記濾過モジュールが平行かつ等間隔に配設されており、
上記複数の濾過モジュールの下側保持部材が平面視で軸方向と垂直方向に一定距離シフトしている請求項１に記載の濾過装置。
【請求項３】
上記シフト量が、複数の濾過モジュールの配設ピッチの３０％以上２００％以下である請求項２に記載の濾過装置。
【請求項４】
上記洗浄モジュールの気泡吐出口が、平面視で下側の保持部材の隙間に配設されている請求項２又は請求項３に記載の濾過装置。
【請求項５】
上記一対の保持部材間に配設される複数本の中空糸膜が弛みを有している請求項１から請求項４のいずれか１項に記載の濾過装置。
【請求項６】
上記中空糸膜がポリテトラフルオロエチレンを主成分とする請求項１から請求項５のいずれか１項に記載の濾過装置。
【発明の詳細な説明】
【技術分野】
【０００１】
本発明は、濾過装置に関する。
【背景技術】
【０００２】
汚水処理や医薬等の製造工程における固液分離処理装置として、複数本の中空糸膜を集束した濾過モジュールを有する濾過装置が用いられている。この濾過モジュールとしては、中空糸膜の外周面側を高圧にして被処理液を中空糸膜の内周面側に透過する外圧式、浸透圧又は内周面側の負圧により被処理液を内周面側に透過する浸漬式、及び中空糸膜の内周面側を高圧にして被処理液を中空糸膜の外周面側に透過する内圧式がある。
【０００３】
上記濾過モジュールのうち外圧式及び浸漬式は、使用に伴い各中空糸膜の表面が被処理液に含まれる物質の付着等によって汚染されるため、そのままでは濾過能力が低下する。そこで、濾過モジュールの下方から気泡を送り、各中空糸膜の表面を擦過し、さらに各中空糸膜を振動させて付着物を除去する洗浄方法（エアースクラビング）が従来から用いられている（特開２０１０−４２３２９号公報参照）。
【先行技術文献】
【特許文献】
【０００４】
【特許文献１】特開２０１０−４２３２９号公報
【発明の概要】
【発明が解決しようとする課題】
【０００５】
上記中空糸膜表面洗浄用の気泡は、中空糸膜表面を清浄に保つため連続的に供給されることが一般的である。そのため、気泡による中空糸膜表面の洗浄効率が低下すると、洗浄用気泡の供給に必要なエネルギーが増大し、濾過コストの増大を招来するおそれがある。この濾過コスト低減策として、複数の濾過モジュールを縦に連設する手段があるが、中空糸膜の保持部材（濾過モジュールの連接部）において気泡が拡散し、上部の中空糸膜表面に気泡が接触せず、結果として洗浄効率が低くなるおそれがある。
【０００６】
本発明は、上述のような事情に基づいてなされたものであり、中空糸膜表面の洗浄効率に優れる濾過装置を提供することを課題とする。
【課題を解決するための手段】
【０００７】
上記課題を解決するためになされた本発明の一態様に係る濾過装置は、上下に引き揃えられる複数本の中空糸膜及びこれらの複数本の中空糸膜の上下端を固定する一対の保持部材を有する１又は複数の濾過モジュールと、この濾過モジュールの下方から気泡を供給する１又は複数の洗浄モジュールとを備える濾過装置であって、上記下側の保持部材が、平面視で上側の保持部材に対してシフトして配設されている。
【発明の効果】
【０００８】
本発明の一態様に係る濾過装置は、中空糸膜表面の洗浄効率に優れる。
【図面の簡単な説明】
【０００９】
【図１】図１は、本発明の一実施形態の濾過装置を有する濾過システムを示す模式図である。
【図２】図２は、図１の濾過装置で保持されている状態の濾過モジュールを示す模式的平面図である。
【図３】図３は、図２の濾過モジュールの模式的斜視図である。
【発明を実施するための形態】
【００１０】
［本発明の実施形態の説明］
本発明の一態様に係る濾過装置は、上下に引き揃えられる複数本の中空糸膜及びこれらの複数本の中空糸膜の上下端を固定する一対の保持部材を有する１又は複数の濾過モジュールと、この濾過モジュールの下方から気泡を供給する１又は複数の洗浄モジュールとを備える濾過装置であって、上記下側の保持部材が、平面視で上側の保持部材に対してシフトして配設されている。
【００１１】
当該濾過装置は、下側の保持部材が、平面視で上側の保持部材に対してシフトして配設されているので、下側の保持部材周囲を鉛直に上昇する気泡が中空糸膜に衝突し易く、気泡による中空糸膜の洗浄効率に優れる。このため、当該濾過装置は、濾過能力を比較的容易に維持することができる。
【００１２】
上記濾過モジュールが、棒状の保持部材に複数本の中空糸膜がカーテン状に列設された構造を有し、複数の上記濾過モジュールが平行かつ等間隔に配設されており、上記複数の濾過モジュールの下側保持部材が平面視で軸方向と垂直方向に一定距離シフトしているとよい。このように、上記複数の濾過モジュールの下側保持部材が平面視で軸方向と垂直方向に一定距離シフトしていることによって、濾過モジュールの配列ピッチを大きくすることなく、中空糸膜のうち下方から見て下側の保持部材の陰になる部分の長さを低減できる。これにより、装置の大型化を抑制しながら、中空糸膜の洗浄に必要な空気量を低減して洗浄効率を向上することができる。
【００１３】
上記シフト量は、複数の濾過モジュールの配設ピッチの５０％以上２００％以下が好ましい。このように、上記シフト量を上記範囲内とすることによって、体積効率の低下をより確実に防止しつつ、中空糸膜の洗浄効率を向上できる。
【００１４】
上記洗浄モジュールの気泡吐出口が、平面視で下側の保持部材の隙間に配設されているとよい。このように、上記洗浄モジュールの気泡吐出口が、平面視で下側の保持部材の隙間に配設されていることによって、洗浄モジュールの気泡吐出口から供給されて上昇する気泡が下側の保持部材の隙間を通過して効率よく中空糸膜に衝突することができる。このため、中空糸膜の洗浄効率をより確実に向上できる。
【００１５】
上記一対の保持部材間に配設される複数本の中空糸膜が弛みを有しているとよい。このように、上記一対の保持部材間に配設される複数本の中空糸膜が弛みを有していることによって、中空糸膜が搖動することで、中空糸膜の束の内部に気泡が進入して内部の中空糸膜を容易に洗浄することができ、かつ中空糸膜の振動によって洗浄効果を促進することができる。
【００１６】
上記中空糸膜がポリテトラフルオロエチレンを主成分とするとよい。このように、上記中空糸膜がポリテトラフルオロエチレンを主成分とすることによって、中空糸膜が十分な機械的強度を有し、気泡による強い擦過に耐えることができるので、気泡の供給量を最適化して洗浄効果を促進することができる。
【００１７】
ここで、「平面視」とは、上下方向から見た状態を意味する。「シフト」するとは、重心位置をずらすことを意味する。また、「棒状」とは、細長い形状を意味し、具体的には長手方向の長さが長手方向に垂直な方向の最大幅（最大径）の４倍以上であることを意味する。また、「複数本の中空糸膜がカーテン状に列設」とは、複数本の中空糸膜が一方向と他方向とを仕切る壁のように配設されることを意味する。また、「中空糸膜が弛みを有している」とは、一対の保持部材に固定される中空糸膜が緊張状態にないことを意味し、具体的には、一対の保持部材間の中空糸膜の部分を有効部分としたとき、上記一対の保持部材の間隔よりも上記有効部分の長さ（中空糸膜の軸方向に沿った長さ）の方が大きいことを意味する。
【００１８】
［本発明の実施形態の詳細］
以下、本発明に係る濾過装置の実施形態について図面を参照しつつ詳説する。
【００１９】
図１の濾過システムは、濾過すべき被処理液を貯留する濾過槽Ｔと、この濾過槽Ｔの中に配置される本発明の一実施形態に係る濾過装置１とを備える。以下、図１において、上下方向をＺ方向、左右方向をＸ方向、紙面奥行方向をＹ方向として説明する。
【００２０】
〔濾過槽〕
濾過槽Ｔは、当該濾過装置１が浸漬されるよう、被処理液を貯留する。濾過槽Ｔの材質としては、例えば樹脂、金属、コンクリート等を用いることができる。
【００２１】
〔濾過装置〕
当該濾過装置１は、複数の濾過モジュール２と、この複数の濾過モジュール２を保持するフレーム３と、濾過モジュール２の下方から気泡を供給する洗浄モジュール４と、濾過モジュール２によって濾過された処理済液を排出する排出機構５とを備える。
【００２２】
＜濾過モジュール＞
濾過モジュール２は、上下（略Ｚ方向）に引き揃えられる複数本の中空糸膜６と、これらの複数本の中空糸膜６の上端を固定する上側保持部材７と、この上側保持部材７と対をなし、上記複数本の中空糸膜６の下端を固定する下側保持部材８とをそれぞれ有する。
【００２３】
例えば図２に示すように、濾過モジュール２がフレーム３によって保持されている状態で、下側保持部材８は平面視で上側保持部材７に対してシフトして配設される。つまり、濾過モジュール２は、上下方向から見て、上側保持部材７の投影形状の重心Ｃ１と下側保持部材８の投影形状の重心Ｃ２とがＸ方向又はＹ方向に位置ずれするよう配設される。これにより、例えば図１に示すように、複数本の中空糸膜６の延在方向は、Ｚ方向と完全には一致せず、少なくとも部分的にＸ方向又はＹ方向に傾斜し得る。
【００２４】
当該濾過装置１は、下側保持部材８が、平面視で上側保持部材１に対してシフトして配設されているので、図１に示すように、下側保持部材８の周囲を鉛直に上昇する気泡が中空糸膜６に衝突し易く、気泡による中空糸膜６の洗浄効率に優れる。このため、当該濾過装置１は、濾過能力を比較的容易に維持することができる。
【００２５】
当該濾過装置１において、複数の濾過モジュール２は、例えば図３に示すように、上側保持部材７及び下側保持部材８がＹ方向に細長い棒状に形成され、その軸方向（長手方向）に沿って複数本の中空糸膜６がカーテン状に列設されることが好ましい。このように、複数本の中空糸膜６がカーテン状に配列されることによって、気泡が中空糸膜６の束の厚さが小さくなるＸ方向に、中空糸膜６の束の中心部まで比較的容易に入り込むことができるので、洗浄モジュール４による洗浄効率に優れる。
【００２６】
当該濾過装置１において、各濾過モジュール２の複数本の中空糸膜６をカーテン状とは異なる配列で保持してもよい。具体例として、上側保持部材７及び下側保持部材８の平面形状、ひいては上側保持部材７及び下側保持部材８に保持される中空糸膜６の束のＸ−平面での断面形状は、Ｘ方向の幅とＹ方向の幅とが近い方形状としてもよい。
【００２７】
また、当該濾過装置１において、複数の濾過モジュール２は、図２に示すように、平行かつ等間隔に一定のピッチＰ（下側保持部材８の中心間距離）で配設されることが好ましい。つまり、複数の濾過モジュール２は、上側保持部材７及び下側保持部材８の軸がそれぞれ平行かつ等間隔になるよう、Ｘ方向に並んで、フレーム３に保持されるとよい。
【００２８】
さらに、当該濾過装置１において、下側保持部材８は、上側保持部材７に対して同じ距離（シフト量Ｓ）ずつ、下側保持部材８の軸方向（Ｙ方向）に垂直な同一方向（Ｘ方向）にシフトして配設されることが好ましい。図２に示すように、シフト量Ｓを一定にすることによって、複数の濾過モジュール２の配設ピッチＰを小さくしても、下側保持部材８が互いに干渉することを避けられる。
【００２９】
上記濾過モジュール２の配設ピッチＰの下限としては、下側保持部材８の平面視での平均幅Ｗの１．１倍が好ましく、１．２倍がより好ましい。一方、配設ピッチＰの上限としては、下側保持部材８の平均幅Ｗの５倍が好ましく、２倍がより好ましい。濾過モジュール２の配設ピッチＰが上記下限に満たない場合、下側保持部材８の間から中空糸膜６に供給可能な気泡の量が不十分となるおそれがある。逆に、濾過モジュール２の配設ピッチＰが上記上限を超える場合、当該濾過装置１が不必要に大型化するおそれがある。
【００３０】
上記下側保持部材８のシフト量Ｓの下限としては、濾過モジュール２の配設ピッチＰの３０％が好ましく、５０％がより好ましい。一方、下側保持部材８のシフト量Ｓの上限としては、濾過モジュール２の配設ピッチＰの２００％が好ましく、１５０％がより好ましい。下側保持部材８のシフト量Ｓが上記下限に満たない場合、下側保持部材８の間から供給される気泡が中空糸膜６に十分衝突せずに濾過モジュール２の間を通過するおそれがある。逆に、下側保持部材８のシフト量Ｓが上記上限を超える場合、中空糸膜６の傾斜が大きくなり過ぎることで気泡が中空糸膜６の束に沿って上昇せず、中空糸膜６の長さ方向一部分に気泡を供給できないおそれがある。
【００３１】
また、濾過モジュール２がフレーム３によって保持されている状態で、上記一対の保持部材７，８間に配設される複数本の中空糸膜６が弛みを有していることが好ましい。具体的には、中空糸膜６の平均有効長さが有効部分の両端間の平均距離（上側保持部材７の中空糸膜６を把持する部分の下面の中心と下側保持部材８の中空糸膜６を把持する部分の上面の中心との距離）よりも大きく、下側保持部材８に中空糸膜６の張力による上向きの力が作用しないことが好ましい。
【００３２】
このように中空糸膜６が弛みを有することにより、中空糸膜６の搖動が容易となるので、気泡が中空糸膜６の束の内部に進入し易くなると共に、中空糸膜６の搖動時の振動により洗浄効果を促進することができる。また、中空糸膜６が弛みを有することにより、中空糸膜６の上部が略鉛直方向に垂下され、中空糸膜６の下部が大きく傾斜する状態で保持される。このため、下側保持部材８の間隙を通って上昇する気泡が中空糸膜６のより下側保持部材８に近い部分に衝突することができ、かつ中空糸膜６に衝突した気泡が中空糸膜６の上部に沿って上昇し易くなる。
【００３３】
中空糸膜６が緊張状態にある場合、中空糸膜６の有効部分（上側保持部材７と下側保持部材８との間の部分）は、略直線的に延在する。一方、中空糸膜６が弛みを有する場合、中空糸膜６は、その有効部分の両端間を結ぶ直線から外れて撓んだ状態となる。従って、中空糸膜６の弛みの大きさは、中空糸膜６の有効部分の両端間の直線距離に対する中空糸膜６の有効長さの比（分かり易い例として、中空糸膜６の有効部分が円弧状に撓んでいる場合における円弧の長さと弦の長さとの比）として表わすことができる。この中空糸膜６の有効部分両端間の平均直線距離に対する平均有効長さ比の下限としては、１．０１が好ましく、１．０２がより好ましい。一方、中空糸膜６の有効部分両端間の平均直線距離に対する平均有効長さの比の上限としては、１．２が好ましく、１．１がより好ましい。中空糸膜６の有効部分両端間の平均直線距離に対する平均有効長さの比が上記下限に満たない場合、中空糸膜６の搖動可能量が小さく、中空糸膜６の束の内部への気泡の進入や中空糸膜６の振動による洗浄促進効果が十分に得られないおそれがある。逆に、中空糸膜６の有効部分両端間の平均直線距離に対する平均有効長さの比が上記上限を超える場合、中空糸膜６同士が絡み合って洗浄を阻害するおそれがある。
【００３４】
＜洗浄モジュール＞
洗浄モジュール４は、図１に示すように、濾過モジュール２の下方に配設され、各濾過モジュール２に対応する位置に、気泡を吐出する複数の気泡吐出口９を有することが好ましい。この場合、これらの複数の気泡吐出口９は、図３に示すように、濾過モジュール２の上側保持部材７及び下側保持部材８の軸方向と平行に配列し、かつ各濾過モジュール２に対応する列を形成するよう設けられるとよい。
【００３５】
この気泡吐出口９の列は、対応する濾過モジュール２の下側保持部材８に対して、平面視で下側保持部材８のシフト方向と反対側に配置されることが好ましい。これらの気泡吐出口９の列は、平面視で対応する下側保持部材８に対して一定距離ずつシフトして配置されることが好ましい。また、気泡吐出口９の列は、平面視で対応する濾過モジュール２の上側保持部材７と下側保持部材８との間に配置されるようシフトして配置されることがより好ましい。より詳しくは、気泡吐出口９の列は、平面視で下側保持部材８の隙間に配置される。従って、気泡吐出口９から放出される気泡は、下側保持部材８の間を効率よく通過して中空糸膜６に衝突し、中空糸膜６を擦過することによって、中空糸膜６の外周面に付着している濁質等を除去する。
【００３６】
洗浄モジュール４の構成としては、複数の気泡吐出口９から気泡を吐出できるものであればよいが、例えば図１及び図３に示すように、濾過モジュール２に一対一に対応し、不図示の空気源から空気が供給される複数本のパイプ１０を有し、この複数のパイプ１０にそれぞれ気泡吐出口９が一列に並んで形成されたものとすることができる。
【００３７】
なお、当該濾過装置において、洗浄モジュール４の気泡吐出口９が下側保持部材８に対してＸ方向（図中左側）にシフトされていなくてもよく、シフト方向が下側保持部材８の上側保持部材７に対するシフト方向（図中右側）と同じ方向（下側保持部材８に対して、対応する上側保持部材７が存在する側と反対側）であってもよい。
【００３８】
気泡吐出口９の平均径の下限としては、１ｍｍが好ましく、２ｍｍがより好ましい。一方、気泡吐出口９の平均径の上限としては、１０ｍｍが好ましく、８ｍｍがより好ましい。気泡吐出口９の平均径が上記下限に満たない場合、気泡の吐出量が十分に得られないおそれがある。逆に、気泡吐出口９の平均径が上記上限を超える場合、気体の供給源に近い気泡吐出口９からの気泡の吐出量が多くなることで気泡の供給量が不均一になるおそれがある。
【００３９】
パイプ１０の平均径（平均外径）の下限としては、１０ｍｍが好ましく、１５ｍｍがより好ましい。一方、パイプ１０の平均径の上限としては、８０ｍｍが好ましく、６０ｍｍがより好ましい。パイプ１０の平均径が上記下限に満たない場合、十分な量の気泡を吐出できないおそれがある。逆に、洗浄モジュール４の平均径が上記上限を超える場合、各列において隣接する濾過モジュール２間の隙間に対応して配設し難くなるおそれがある。
【００４０】
＜排出機構＞
排出機構５は、複数の濾過モジュール２の排水ノズル７ａに接続され、濾過された処理済液を集める集水配管１１と、この集水配管１１から処理済液を吸引する吸引ポンプ１２とを備える。
【００４１】
＜中空糸膜＞
中空糸膜６は、液を透過させる一方、被処理液に含まれる不純物の透過を阻止する多孔性の膜を管状に成形したものである。
【００４２】
中空糸膜６としては、熱可塑性樹脂を主成分とするものを用いることができる。この熱可塑性樹脂としては、例えばポリエチレン、ポリプロピレン、ポリフッ化ビニリデン、エチレン−ビニルアルコール共重合体、ポリアミド、ポリイミド、ポリエーテルイミド、ポリスチレン、ポリサルホン、ポリビニルアルコール、ポリフェニレンエーテル、ポリフェニレンサルファイド、酢酸セルロース、ポリアクリロニトリル、ポリテトラフルオロエチレン（ＰＴＦＥ）等が挙げられる。これらの中でも機械的強度、耐薬品性、耐熱性、耐候性、不燃性等に優れ、多孔質性であるＰＴＦＥが好ましく、１軸又は２軸延伸したＰＴＦＥがより好ましい。なお、中空糸膜６の形成材料には、他のポリマー、潤滑剤などの添加剤等が適宜配合されていてもよい。
【００４３】
各濾過モジュール２の複数本の中空糸膜６の束の上側保持部材７及び下側保持部材８における長手方向（Ｙ方向）の幅Ｌ１は、短手方向（Ｘ方向）の幅Ｌ２に対して大きいことが好ましい。つまり、上側保持部材７及び下側保持部材８での引き揃え方向（Ｚ方向）と垂直方向（Ｘ−Ｙ方向）における中空糸膜６の存在領域が長方形状であるとよい。中空糸膜６は、好ましくは、この存在領域の長辺方向（Ｙ方向）及び短辺方向（Ｘ方向）に行列状に配列される。なお、「存在領域」とは、全ての中空糸膜を包含する仮想凸多角形（全ての内角が１８０°未満である多角形）のうち最も面積の小さいものを意味する。
【００４４】
上記中空糸膜６の束の長手方向の平均幅Ｌ１の下限としては、３００ｍｍが好ましく、５００ｍｍがより好ましい。一方、上記中空糸膜６の束の長手方向の平均幅Ｌ１の上限としては、１２００ｍｍが好ましく、１０００ｍｍがより好ましい。上記中空糸膜６の束の長手方向の平均幅Ｌ１が上記下限に満たない場合、十分な濾過効率が得られないおそれがある。逆に、上記中空糸膜６の束の長手方向の平均幅Ｌ１が上記上限を超える場合、濾過モジュール２の取り扱いが困難になるおそれがある。
【００４５】
上記中空糸膜６の束の短手方向の平均幅Ｌ２の下限としては、１０ｍｍが好ましく、１５ｍｍがより好ましい。一方、上記中空糸膜６の束の短手方向の平均幅Ｌ２の上限としては、１００ｍｍが好ましく、７５ｍｍがより好ましい。上記中空糸膜６の束の短手方向の平均幅Ｌ２が上記下限に満たない場合、十分な濾過効率が得られないおそれがある。逆に、上記中空糸膜６の束の短手方向の平均幅Ｌ２が上記上限を超える場合、後述する洗浄モジュール４から吐出される気泡を中空糸膜６の束の中心部まで的確に供給できないおそれがある。
【００４６】
上記中空糸膜６の束の長手方向の平均幅Ｌ１に対する中空糸膜６の束の短手方向の平均幅Ｌ２の比（Ｌ２／Ｌ１）の下限としては、１／８０が好ましく、１／５０がより好ましい。一方、上記長手方向の平均幅Ｌ１に対する短手方向の平均幅Ｌ２の比（Ｌ２／Ｌ１）の上限としては、１／３が好ましく、１／１０がより好ましい。上記長手方向の平均幅Ｌ１に対する短手方向の平均幅Ｌ２の比（Ｌ２／Ｌ１）が上記下限に満たない場合、濾過モジュール２の取り扱いが困難になるおそれがある。逆に、上記長手方向の平均幅Ｌ１に対する短手方向の平均幅Ｌ２の比（Ｌ２／Ｌ１）が上記上限を超える場合、洗浄モジュール４から吐出される気泡を中空糸膜６の束の中心部まで的確に供給できないおそれがある。
【００４７】
中空糸膜６の上記長辺方向の平均ピッチは、上記短辺方向の平均ピッチよりも大きいことが好ましい。中空糸膜６の上記長辺方向の平均ピッチに対する上記短辺方向の平均ピッチの比の下限としては、２／５が好ましく、１／２がより好ましい。一方、中空糸膜６の上記長辺方向の平均ピッチに対する上記短辺方向の平均ピッチの比の上限としては、４／５が好ましく、２／３がより好ましい。上記比が上記下限に満たない場合、上記長辺方向の中空糸膜６の密度が小さくなり、十分な濾過効率が得られないおそれがある。逆に、上記比が上記上限を超える場合、洗浄モジュール４から吐出される気泡を上記短辺方向の一端側から中空糸膜６間に十分に導入できないおそれがある。
【００４８】
上記存在領域における中空糸膜６の充填面積率の下限としては、２０％が好ましく、３０％がより好ましい。一方、上記存在領域における中空糸膜６の充填面積率の上限としては、６０％が好ましく、５５％がより好ましい。中空糸膜６の上記充填面積率が上記下限に満たない場合、単位面積あたりの中空糸膜６の本数が少なくなり、十分な濾過効率が得られないおそれがある。逆に、中空糸膜６の上記充填面積率が上記上限を超える場合、中空糸膜６間の隙間が過度に小さくなり、洗浄モジュール４から吐出される気泡を中空糸膜６の束の中心部まで十分に供給できないおそれがある。
【００４９】
上記存在領域において上記短辺方向に配列される中空糸膜６の本数（配列数）の下限としては、８本が好ましく、１２本がより好ましい。一方、上記短辺方向に配列される中空糸膜６の本数の上限としては、５０本が好ましく、４０本がより好ましい。上記短辺方向に配列される中空糸膜６の本数が上記下限に満たない場合、単位面積当たりの濾過効率を十分確保できないおそれがある。逆に、上記短辺方向に配列される中空糸膜６の本数が上記上限を超える場合、洗浄モジュール４から吐出される気泡を中空糸膜６の束の中心部まで的確に供給できないおそれがある。
【００５０】
中空糸膜６の平均外径に対する上記短辺方向の平均ピッチの比の下限としては、１が好ましい。一方、中空糸膜６の平均外径に対する上記短辺方向の平均ピッチの比の上限としては、３／２が好ましく、７／５がより好ましい。中空糸膜６の平均外径に対する上記短辺方向の平均ピッチの比が上記下限に満たない場合、中空糸膜６が径方向に押し潰された状態で配置されることになるので濾過モジュール２の製造が困難となるおそれがある。逆に、中空糸膜６の平均外径に対する上記短辺方向の平均ピッチの比が上記上限を超える場合、上記短辺方向の中空糸膜６の密度が小さくなることによって十分な濾過効率が得られないおそれがある。
【００５１】
中空糸膜６の平均外径の下限としては、１ｍｍが好ましく、１．５ｍｍがより好ましく、２ｍｍがさらに好ましい。一方、中空糸膜６の平均外径の上限としては、６ｍｍが好ましく、５ｍｍがより好ましく、４ｍｍがさらに好ましい。中空糸膜６の平均外径が上記下限に満たない場合、中空糸膜６の機械的強度が不十分となるおそれがある。逆に、中空糸膜６の平均外径が上記上限を超える場合、中空糸膜６の可撓性が不足することにより気泡の接触による中空糸膜６の振動及び搖動が不十分となり、中空糸膜６間の隙間を拡げて気泡を中空糸膜６の束の中心部まで案内することができないおそれや、中空糸膜６の断面積に対する表面積の比が小さくなって濾過効率が低下するおそれがある。
【００５２】
中空糸膜６の平均内径の下限としては、０．３ｍｍが好ましく、０．５ｍｍがより好ましく、０．９ｍｍがさらに好ましい。一方、中空糸膜６の平均内径の上限としては、４ｍｍが好ましく、３ｍｍがより好ましい。中空糸膜６の平均内径が上記下限に満たない場合、中空糸膜６内の処理済液を排出するときの圧損が大きくなるおそれがある。逆に、中空糸膜６の平均内径が上記上限を超える場合、中空糸膜６の厚さが小さくなって機械的強度及び不純物の透過阻止効果が不十分となるおそれがある。
【００５３】
中空糸膜６の平均外径に対する平均内径の比の下限としては、３／１０が好ましく、２／５がより好ましい。一方、中空糸膜６の平均外径に対する平均内径の比の上限としては、４／５が好ましく、３／５がより好ましい。中空糸膜６の平均外径に対する平均内径の比が上記下限に満たない場合、中空糸膜６の厚さが必要以上に大きくなって中空糸膜６の透水性が低下するおそれがある。逆に、中空糸膜６の平均外径に対する平均内径の比が上記上限を超える場合、中空糸膜６の厚さが小さくなって機械的強度及び不純物の透過阻止効果が不十分となるおそれがある。
【００５４】
中空糸膜６の中心軸に沿う平均有効長さの下限としては、１ｍが好ましく、２ｍがより好ましい。一方、中空糸膜６の平均有効長さの上限としては、６ｍが好ましく、５ｍがより好ましい。中空糸膜６の平均有効長さが上記下限に満たない場合、気泡の擦過による中空糸膜６の搖動が不十分となり、中空糸膜６間の隙間を拡げて気泡を中空糸膜６の束の中心部まで案内することができないおそれがある。逆に、中空糸膜６の平均有効長さが上記上限を超える場合、中空糸膜６の自重によって中空糸膜６の撓みが大きくなり過ぎるおそれや、濾過モジュール２の設置時等における取り扱い性が低下するおそれがある。
【００５５】
中空糸膜６の平均外径に対する平均有効長さの比（アスペクト比）の下限としては、１５０が好ましく、１０００がより好ましい。一方、中空糸膜６のアスペクト比の上限としては、６０００が好ましく、５０００がより好ましい。中空糸膜６のアスペクト比が上記下限に満たない場合、気泡の擦過による中空糸膜６の搖動が不十分となり、中空糸膜６間の隙間を拡げて気泡を中空糸膜６の束の中心部まで案内することができないおそれがある。逆に、中空糸膜６のアスペクト比が上記上限を超える場合、中空糸膜６が極度に細長となるため上下に張った際の機械的強度が低下するおそれがある。
【００５６】
＜上側保持部材＞
上側保持部材７は、保持する中空糸膜６の内腔と連通する内部空間を形成し、この内部空間から中空糸膜６によって濾過された処理済水を排出する排水ノズル７ａを有する。
【００５７】
中空糸膜６の束の短手方向の平均幅Ｌ２に対する上側保持部材７の平面視での平均幅の比の下限としては、１．０５が好ましく、１．１がより好ましい。一方、中空糸膜６の束の短手方向の平均幅Ｌ２に対する上側保持部材７の平面視での平均幅の比の上限としては、１．３が好ましく、１．２がより好ましい。中空糸膜６の束の短手方向の平均幅Ｌ２に対する上側保持部材７の平面視での平均幅の比が上記下限に満たない場合、上側保持部材７の強度が不十分となるおそれがある。逆に、中空糸膜６の束の短手方向の平均幅Ｌ２に対する上側保持部材７の平面視での平均幅の比が上記上限を超える場合、上側保持部材７間の隙間が小さくなることで中空糸膜６を洗浄した気泡を上方にスムーズに排出できないおそれや、カーテン状の中空糸膜６の束の間隔を小さくすることができず当該濾過装置１が不必要に大型化するおそれがある。
【００５８】
（下側保持部材）
下側保持部材８は、中空糸膜６の下端を保持する。下側保持部材８は、上記上側保持部材７と同様に内部空間を形成してもよく、中空糸膜６の開口を閉塞するような方法で中空糸膜６の下端を保持してもよい。また、下側保持部材８の平面視での平均幅Ｗとしては、上記上側保持部材７と同様とすることができる。
【００５９】
＜フレーム＞
フレーム３は、上述のように、複数の濾過モジュール２の上側保持部材７及び下側保持部材８を保持することにより、複数の濾過モジュール２を濾過槽Ｔに貯留される被処理液中に浸漬状態に配設する。
【００６０】
このフレーム３は、濾過モジュール２を保持した状態で濾過槽Ｔから取り出せるよう構成されることが好ましい。また、フレーム３は、後述する洗浄モジュール４を濾過モジュール２の下方に保持するよう構成されることが好ましい。
【００６１】
［利点］
当該濾過装置１は、下側保持部材が、平面視で上側保持部材に対してシフトして配設されているので、下側保持部材の周囲を鉛直に上昇する気泡が中空糸膜に衝突することが可能であり、気泡による中空糸膜の洗浄効率に優れる。このため、当該濾過装置１は、濾過能力を比較的容易に維持することができる。
【００６２】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００６３】
当該濾過装置において、濾過モジュールが複数ある場合、複数の配列ピッチはそれぞれ一定でなくてもよい。また、下側保持部材の上側保持部材に対するシフト量、及び気泡吐出口の下側保持部材に対するシフト量は、それぞれ一定でなく、濾過モジュール毎に異なってもよい。
【００６４】
また、当該濾過装置において、下側保持部材にも排水ノズルを設けて処理済液を排出するようにしてもよい。また、保持部材における排水ノズルの配置及び数量は任意に変更できる。
【００６５】
また、当該濾過装置において、洗浄モジュールは、濾過モジュールの下方から気泡供給できればよく、例えばディフューザー、スパージャー等から気泡を噴射する噴射流式散気装置、水流に気泡を混合して噴射するバブリングジェットノズル等を用いてもよい。また、洗浄モジュールから供給される気泡を、下側保持部材の間隙に案内するガイド機構を備えてもよい。また、洗浄モジュールは、複数配設されてもよい。
【００６６】
当該濾過装置は、中空糸膜の外周面側を高圧にして被処理液を中空糸膜の内周面側に透過する外圧式、浸透圧又は内周面側の負圧により被処理液を内周面側に透過する浸漬式、及び中空糸膜の内周面側を高圧にして被処理液を中空糸膜の外周面側に透過する内圧式等種々の濾過装置として使用してもよい。
【００６７】
当該濾過装置の濾過モジュールは、上側保持部材が中空糸膜の両端を保持し、下側保持部材が中空糸膜をＵ字状に湾曲させて折り返す構成としてもよい。
【産業上の利用可能性】
【００６８】
以上のように、本発明の濾過モジュールは、中空糸膜の洗浄の効率を向上することができ、固液分離処理装置として種々の分野で好適に用いることができる。
【符号の説明】
【００６９】
１  濾過装置
２  濾過モジュール
３  フレーム
４  洗浄モジュール
５  排出機構
６  中空糸膜
７  上側保持部材
７ａ  排水ノズル
８  下側保持部材
９  気泡吐出口
１０  パイプ
１１  集水配管
１２  吸引ポンプ
Ｃ１，Ｃ２  重心
Ｌ１  中空糸膜の束のＹ方向の幅
Ｌ２  中空糸膜の束のＸ方向の幅
Ｐ  濾過モジュールの配設ピッチ
Ｓ  シフト量
Ｔ  濾過槽
Ｗ  幅
【図１】
2018099633.tif 000003
【図２】
2018099633.tif 000004
【図３】
2018099633.tif 000005